【事件の表示】
　特許第２６８８１１６号「メークアップ用組成物」の請求項１ないし１９に係る特許に対する特許異議の申立てについて、次のとおり決定する。
【結論】
　訂正を認める。
　特許第２６８８１１６号の請求項１ないし４に係る特許を維持する。
【理由】
（１）手続きの経緯
　本件特許第２６８８１１６号は、平成５年７月２９日に特許出願され、平成９年８月２２日にその特許の設定登録がなされ、特許異議の申立てがあり、その後、取消理由が通知されたところ、その指定期間内である平成１０年１２月１日に訂正請求がなされたものである。
（２）訂正の可否についての判断
▲１▼、訂正請求の内容
ａ，特許請求の範囲の請求項１における「メークアップ組成物」を「まつげおよび／または眉毛に適用するメークアップ組成物」と訂正する。
ｂ、請求項２，３を削除する。
ｃ、請求項４における「請求項１ないし３のいずれか１項に記載の組成物。」を「請求項１に記載の組成物」と訂正する。
ｄ、請求項５における「請求項１ないし４のいずれか１項に記載の組成物」を「請求項１または２に記載の組成物」と訂正する。
ｅ、請求項６〜１８を削除する。
ｆ、請求項１９における「請求項１ないし１３のいずれか」を「請求項１ないし３のいずれか」と訂正する。
ｇ、発明の名称の「メークアップ用組成物」を「まつげおよび／または眉毛に適用するメークアップ組成物」と訂正する。
ｈ、発明の詳細な説明の「本発明は、メークアップ用組成物、特にアイメークアップ用組成物、および、該組成物の調製方法に関する。」（特許公報第３欄３３〜３４行）を「本発明は、まつげおよび／または眉毛に適用するメークアップ組成物、および、該組成物を用いたアイメークアップ方法に関する。」と訂正する。
ｉ，「を含有するメークアップ用組成物に関する。該組成物は、より優位にはアイメークアップ用として使用可能である。」（特許公報第４欄５〜７行）を「を含有する、まつげおよび／または眉毛に適用するメークアップ組成物に関する。」と訂正する。
ｊ、「デオキシリボ核酸の量は、組成物中に存在可能なポリマー類の全重量に対して、乾燥ポリマー材料の０．０２重量％と５重量％の間、好ましくは０．０５重量％と２重量％の間であることが可能である。」（特許公報第４欄１３〜１６行）の記載を削除する。
▲２▼、訂正の目的の適否、新規事項の有無及び拡張・変更の存否
　上記訂正ａは、メークアップの適用対象を限定するものであり、訂正ｂ、訂正ｅは請求項を削除するものであり、訂正ｃ、ｄ、ｆは引用請求項を限定するものであるから、訂正ａ〜ｆは、特許請求の範囲の減縮を目的とするものである。
　また、訂正ｇ〜ｉは、上記訂正で特許請求の範囲におけるメークアップの適用対象を限定したことに伴い、発明の名称の記載及び発明の詳細な説明の記載を整合させようとするものであり、明りょうでない記載の釈明を目的とするものである。
　また、訂正ｊは、請求項７、８の「乾燥ポリマー材料」に関する発明の詳細な説明における記載を、該請求項を削除したことに伴い、これと整合させるために削除するものであり、明りょうでない記載の釈明を目的とするものである。
　また、上記訂正ａ〜ｊは、願書に添付した明細書に記載した事項の範囲内のものであるし、また、実質的に特許請求の範囲を拡張又は変更するものではない。
▲３▼、独立特許要件の判断
　上記訂正後の発明、即ち訂正明細書に記載された請求項１〜４に係る発明は、後記（３）に記載するように独立して特許を受けることができるものである。
　したがって、上記訂正請求は、特許法第１２０条の４第２項及び第３項で準用する第１２６条第２〜４項の規定に適合するので、当該請求を認める。
（３）特許異議の申立てについての判断
▲１▼本件発明
　本件請求項１〜４に係る発明は、訂正明細書の記載からみて、その特許請求の範囲に記載された次のとおりのものである。
１．デオキシリボ核酸、または、その無機塩または有機塩の１つと、少なくとも１つのワックスとを含有することを特徴とする、まつげおよび／または眉毛に適用するメークアップ組成物。
２．デオキシリボ核酸の量のワックスの量に対する重量比が、０．０２５と２．５の間であることを特徴とする、請求項１に記載の組成物。
３．前記デオキシリボ核酸の分子量が、１×１０５と１×１０７の間であることを特徴とする、請求項１または２に記載の組成物。
４．請求項１ないし３のいずれか１項に記載の組成物を、まつげおよび／または眉毛に適用することを特徴とする、アイメークアップ方法。
▲２▼特許異議申立人の主張
　これに対して、特許異議申立人は、甲第１号証（特開平１−１２１２０７号公報）、甲第２号証（特開昭６２−９６４０６号公報）、甲第３号証（フランス特許公報第２２０５３０４号）、甲第４号証（特開昭５９−１３４７０６号公報）、甲第５号証（特開昭４８−１１３８号公報）、甲第６号証（特開昭６１−１２５４３１号公報）、甲第７号証（特開平６−２７１４５１号公報）、甲第８号証（特開平６−１００４２６号公報）、甲第９号証（特開平６−１００４３７号公報）、甲第１０号証（「化粧品科学ガイドブック」、日本化粧品技術者会編集、昭和５４年５月２６日発行、第５６−５９頁）、甲第１１号証（「化粧品種別許可基準ＩＩＩ」、１９８８年７月３０日、株式会社薬事日報社発行、ｐ３〜１７、ｐ２６〜３５）、甲第１２号証（「化粧品原料辞典」、蔵多淑子他編集、平成３年１１月２９日発行、ｐ１１８、ｐ３６１）、甲第１３号証（「ワックスの性質と応用」、昭和６０年１０月２５日、株式会社幸書房発行、ｐ１〜３、ｐ２８〜３１）を提出し、本件請求項１〜４に係る発明は、ａ、甲第１〜４号証の記載に記載された発明であるから、特許法第２９条第１項第３号の規定に該当し特許を受けることができないものであり、ｂ，甲第１〜６号証及び甲第１０〜１３号証の記載に基づいて当業者が容易に発明をすることができたものであるから特許法第２９条第２項の規定により特許を受けることができないものであり、ｃ、甲第７〜９号証に示される先願の出願当初の明細書に記載された発明と同一であるから特許法第２９条の２の規定により特許を受けることができないものであるし、また、ｄ、本件明細書の記載が不備であるから、特許法第３６条に規定する要件を満たしていない、と主張している。
▲３▼、特許法第２９条第１項第３号違反について
ｉ）、請求項１に係る発明について
　甲第１号証にはコウジ酸及び／又はその誘導体とデオキシリボ核酸及び／又はその塩とを含有する美白化粧料が記載され、甲第２号証にはデオキシリボ核酸又はそれらの塩とイソプロピルアミンジクロロアセテートとを配合してなる美白化粧料が記載され、甲第３号証にはリボ核酸及びデオキシリボ核酸を含むクリームを頬のたるみを目立たないようにするため或いはしわ消し等の目的で顔等の皮膚面に塗布することが記載され、甲第４号証にはＤＮＡ，ＲＮＡ等の核酸関連物質と保湿成分及び／又は生理活性成分とを含有する化粧料を皮膚の新陳代謝を活発にし、皮膚の保護と水分の保持性に利用することが記載されている。
　請求項１に係る発明と甲第１〜４号証に記載の発明とを対比検討すると、デオキシリボ核酸を含有する化粧料という点では共通するものの、請求項１に係る発明は、まつげ及び／又は眉毛に適用するものであることを特定しているのに対して、甲第１〜４号証に記載の化粧料はいずれも顔等の皮膚に適用するものであり、まつげ又は眉毛を適用対象とする化粧料は記載されていない点で相違している。
　したがって、請求項１に係る発明が甲第１〜４号証に記載された発明ではないから、特許法第２９条第１項第３号の規定に該当するものではない。
ｉｉ）、請求項２〜４に係る発明について
　請求項２，３に係る発明は、請求項１に係る発明をさらに技術的に限定した発明であるから、請求項１に係る発明についての理由と同様の理由により、特許法第２９条第１項第３号の規定に該当するものではないし、請求項４に係る発明は、請求項１〜３に係る発明の組成物を使用したアイメークアップ方法の発明であるから、請求項１に係る発明についての理由と同様の理由により、特許法第２９条第１項第３号の規定に該当するものではない。
▲４▼、特許法第２９条第２項違反について、
ｉ）、請求項１に係る発明について
　甲第１〜４号証には上記の事項が記載され、また、甲第５号証には核酸を含有する口紅が記載され（実施例４）、甲第６号証には水不溶性微粉末、核酸及び水を含有する分散体に関する発明について記載され、核酸の配合により長期の水分散安定性を向上させた分散体を提供可能として、化粧料、塗料、ゴムの充填剤等の用途に適用し得ることが記載されているが、該化粧料としてまつげ又は眉毛に適用することを示唆する記載はない。
　結局、甲第１〜６号証には、核酸を含む化粧料が記載されているに止まり、該化粧料をまつげ又は眉毛に適用することに関する具体的な事項は何ら記載されていない。
　ところで、請求項１に係る発明は、デオキシリボ核酸またはその塩とワックスとを組み合わせた組成物をまつげまたは眉毛に適用することにより、デオキシリボ核酸（塩）を含まないものと比較して、まつげ等を大幅に伸張させるという予期し得ない効果を奏するものであることが本件明細書等の記載から認められる。
　これに対して、甲第１０号証には仕上化粧品について記載があり、マスカラやまゆずみが目の周囲の化粧料として説明されているが、デオキシリボ核酸（塩）を使用した処方例等は記載されていないから、デオキシリボ核酸（塩）等を使用した化粧料をまつげ又は眉毛に適用することを示唆するものではない。
　また、甲第１１号証にはアイシャドー種別許可基準及びマスカラ種別許可基準が記載されており、アイシャドー、マスカラ用の成分が表中に多数列記され、該表中には、軟質イソパラフィン、鯨ロウ等のワックス類及びデオキシリボ核酸カリウム塩が記載されている。しかしながら、該表は単に成分規格番号、成分名、配合量上限が記載されているに過ぎないものであり、各成分をまつげまたは眉毛に使用する目的、その作用等について説明する記載はなく、例記されたデオキシリボ核酸カリウム塩等をまつげまたは眉毛に使用したときの具体的な有用性は何ら示されていない。してみると、該表中の多数の成分のうち、マスカラ等の成分としてよく知られているものはともかく、その技術的意義の知られていないデオキシリボ核酸（塩）等は、有用な作用を有するか否か等が検討され得るものとして列挙されているに止まり、有用な作用を有するマスカラ等の成分として開示されているとはいえないから、結局、甲第１１号証はデオキシリボ核酸（塩）を、まつげ等を伸長させる成分として、ワックス類と組み合わせて利用することを示唆するものではない。
　また、甲第１２号証には「カーボポール」がカルボキシビニルポリマーの商品名であること及びヒアルロン酸の説明が示されており、甲第１３号証にはワックスについての説明が示されているに過ぎない。
　したがって、ワックス類とデオキシリボ核酸（塩）とを組合わせて、まつげまたは眉毛に適用する請求項１に係る発明が第１〜６号証及び甲第１０〜１１号証の記載に基づいて当業者が容易になし得たものであるとはいえない。
ｉｉ）、請求項２〜４に係る発明について
　請求項２，３に係る発明は、請求項１に係る発明をさらに技術的に限定した発明であるし、請求項４に係る発明は、請求項１〜３に係る発明の組成物を使用したアイメークアップ方法の発明であるから、請求項２〜４に係る発明は、請求項１に係る発明についての理由と同様の理由により、特許法第２９条第２項の規定により特許を受けることができないものではない。
▲５▼、特許法第２９条の２違反について、
　甲第７号証で示される先願明細書には、４−ｔｅｒｔ−ブチル−４’−メトキシジベンゾイルメタンとリボ核酸、デオキシリボ核酸及びそれらの塩の群から選ばれる一種とを配合した皮膚外用剤の発明が記載され、核酸類の肌荒れ防止効果、皮膚のたるみ、つやの消失防止効果を４−ｔｅｒｔ−ブチル−４’−メトキシジベンゾイルメタンを組み合わせることにより改善できたことが示され、顔面部位に適用するクリーム及び口紅の例が記載されており、甲第８号証で示される先願明細書には、デオキシリボ核酸を有効成分として含むヒアルロニダーゼ阻害剤の発明に関して記載があり、皮膚の潤滑性、柔軟性を保ち、老化を防ぐヒアルロン酸を分解するヒアルロニダーゼの活性を抑制して皮膚の小ジワやかさつき等を防ぐことが示されており、また、甲第９号証で示される先願明細書には、デオキシリボ核酸を含み、マイクロフルイダイザーにより乳化した水中油型クリーム基剤の発明について記載があり、乳化剤を使用しないと安定したエマルジョンが得られないところ、界面活性剤を使用することなく、そのため安全性が高められた条件で、且つ官能面で優れた評価が得られ、またヒアルロニダーゼ阻害活性を有し、安定性のよい水中油型クリーム基剤を提供すること、また、「マイクロフルイダイザーにより乳化して様々な剤型の化粧料、皮膚外用剤等、例えば、ローション、クリーム、乳液、パック等に調製でき、目的に応じて種々の利用形態の化粧料などに調製することができる。」（第３頁上右欄１２〜１５行）と記載されている。しかしながら、これら甲第７〜９号証で示される先願明細書には、まつげまたは眉毛に適用する化粧料については記載されていない。
　したがって、まつげまたは眉毛に適用するメークアップ組成物に特定した請求項１に係る発明が甲第７〜９号証で示される先願明細書に記載された発明と同一であるとすることはできない。
　また、請求項２，３に係る発明は、請求項１に係る発明をさらに技術的に限定した発明であるし、請求項４に係る発明は、請求項１〜３に係る発明の組成物を使用したアイメークアップ方法の発明であるから、請求項２〜４に係る発明は、請求項１に係る発明についての理由と同様の理由により、甲第７〜９号証に記載された発明と同一であるとすることははできない。
▲６▼、特許法第３６条違反について、
　特許異議申立人は、特許明細書について、
ｉ）、請求項１のメークアップ組成物にどのような用途の化粧料を含むのか不明瞭であるし、
ｉｉ）、請求項７及び８ではデオキシリボ核酸の量を「乾燥ポリマー」材料に対する重量％で規定して特定しているが、使用し得るとされるワックス、界面活性剤、増粘剤等に含まれるポリマーのうちいずれの「乾燥ポリマー」をいうのか不明瞭であり、また、請求項７及び８の「乾燥ポリマー」の記載は請求項１の組成物が「乾燥ポリマー」を含むことを前提としたものであるが、請求項１には「乾燥ポリマー」を含むことが特定されていない、と主張する。
　しかしながら、上記訂正により、請求項１に係る発明は「まつげおよび／又は眉毛に適用する」メークアップ組成物に特定され、その範囲が不明瞭とはいえないし、また、請求項７，８は削除されたので特許異議申立人が指摘した記載は本件明細書中に存在しないものとなった。
　したがって、本件明細書の記載が特許法第３６条に規定する要件を満たさないという特許異議申立人の主張は採用できない。
（４）むすび
　以上のとおり、特許異議の申立ての理由及び証拠によっては、本件請求項１〜４に係る特許を取り消すことができない。
　また、請求項１〜４に係る特許について、他に取消理由を発見しない。
　よって、結論のとおり決定する。
【異議決定日】
平成１１年１０月７日（１９９９．１０．７）
【訂正の要旨】
　特許第２６８８１１６号の明細書中、特許請求の範囲の減縮を目的として、
ａ，特許請求の範囲の請求項１における「メークアップ組成物」を「まつげおよび／または眉毛に適用するメークアップ組成物」と訂正し、
ｂ、請求項２，３を削除し、
ｃ、請求項４における「請求項１ないし３のいずれか１項に記載の組成物。」を「請求項１に記載の組成物」と訂正し、
ｄ、請求項５における「請求項１ないし４のいずれか１項に記載の組成物」を「請求項１または２に記載の組成物」と訂正し、
ｅ、請求項６から１８を削除し、
ｆ、請求項１９における「請求項１ないし１３のいずれか」を「請求項１ないし３のいずれか」と訂正し、
明りょうでない記載の釈明を目的として、
ｇ、発明の名称の「メークアップ用組成物」を「まつげおよび／または眉毛に適用するメークアップ組成物」と訂正し、
ｈ、発明の詳細な説明の「本発明は、メークアップ用組成物、特にアイメークアップ用組成物、および、該組成物の調製方法に関する。」（特許公報第３欄３３〜３４行）を「本発明は、まつげおよび／または眉毛に適用するメークアップ組成物、および、該組成物を用いたアイメークアップ方法に関する。」と訂正し、
ｉ，「を含有するメークアップ用組成物に関する。該組成物は、より優位にはアイメークアップ用として使用可能である。」（特許公報第４欄５〜７行）を「を含有する、まつげおよび／または眉毛に適用するメークアップ組成物に関する。」と訂正し、
ｊ、「デオキシリボ核酸の量は、組成物中に存在可能なポリマー類の全重量に対して、乾燥ポリマー材料の０．０２重量％と５重量％の間、好ましくは０．０５重量％と２重量％の間であることが可能である。」（特許公報第４欄１３〜１６行）の記載を削除する。
（５４）【発明の名称】
まつげおよび／または眉毛に適用するメークアップ組成物
【発明の詳細な説明】
　　本発明は、まつげおよび／または眉毛に適用するメークアップ組成物、および、該組成物を用いたアイメークアップ方法に関する。
　　ワックス類をアイメークアップ組成物に使用することは知られている。しかしながら、主にワックスをベースとする組成物では、優れたメークアップは施されない。
　　ポリマータイプのフィルム形成剤の溶液を、化粧品組成物の水相に添加することも知られているが、まつげに適用した場合、必ずしも常に満足のいく結果が得られるわけではない。
　　髪の再生用、または皮膚の細胞再生を促進する目的で、または抗皮脂活性を刺激するために、デオキシリボ核酸を化粧品組成物に添加することも良く知られている。
　　しかしながら、デオキシリボ核酸は、メークアップ組成物における成分としては知られていない。
　　本発明による組成物は、上記問題点を解決することが可能である。特に、デオキシリボ核酸をアイメークアップ組成物に添加することにより、たとえばまつげを延ばしたり、まつげをカーブさせる等の化粧品的性質が実質的に向上することが、驚くべきことに発見された。
　　本発明は、化粧品的に許容されるビヒクルの任意な存在下、デオキシリボ核酸、または、その無機塩または有機塩の１つと、少なくとも１つのワックスとを含有する、まつげおよび／または眉毛に適用するメークアップ組成物に関する。
　　デオキシリボ核酸の量のワックスの量に対する重量比は、０．０２５と２．５の間であることが可能である。
　　前記デオキシリボ核酸の分子量は、１Ｘ１０５および１Ｘ１０７の問、好ましくは５Ｘ１０５および５Ｘ１０６の間であることが可能である。
　　メークアップ組成物に使用されるワックス類は、動物性ワックス類、鉱物性ワックス類、植物性ワックス類、または合成ワックス類、またはこれらの混合物から選択可能である。
　　アイメークアップ組成物はまた、無機顔料類、有機顔料類、および任意に真珠光沢顔料類から選択された顔料類を含有可能である。該顔料類は、所望の色合および色の強度に依存して、組成物の全重量に対して、３重量％から２５重量％の範囲の比率で存在する。
　　本発明による組成物は、水中油形または油中水形エマルション等のエマルションの形態で、溶媒中における懸濁液形態で、微分散物の形態で、または、固体または無水ペースト形態で存在可能である。
　　前記組成物がエマルションの形態で使用される場合、組成物の全重量に対して、２重量％から３０重量％の範囲の比率で存在する界面活性剤類を含有可能である。該界面活性剤類は、アニオンまたは非イオン界面活性剤類から選択される。
　　本発明はまた、デオキシリボ核酸を、少なくとも１つのワックスと所望ならば界面活性剤類とを含有する油相と、混合することからなる、組成物の調製方法に関する。
　　該方法によれば、前記デオキシリボ核酸は水相に存在可能である。顔料は、油相に添加可能である。
　　油相および水相の成分を、独立に、８５℃の温度で溶解または溶融し、次いで混合することが可能である。
　　本発明を以下に、より詳細に説明する。
　　本発明による組成物の１つに使用されるデオキシリボ核酸は、動物または植物由来のいずれかであってもよいし、無機塩もしくは有機塩の形態であってもよい。デオキシリボ核酸によって、目がかぶれることはないため、眼科学分野において既に使用されているデオキシリボ核酸を、アイメークアップ用組成物、たとえばマスカラに使用することは考えられることである。
　　本発明による組成物において選択されるワックス類は、一般的には、６０℃と１１０℃の間の融点を有し、米国の規格ＡＳＴＭ　Ｄ５による、またはフランスの規格ＮＦＴ００４による測定では、２５℃における針入度が３と４０の間である。アメリカの規格ＡＳＴＭ　Ｄ５による、および、フランスの規格ＮＦＴ００４による針入度測定の原理は、４７．５ｇの針ホールダに保持された２．５ｇの標準針（全体として５０ｇ）がワックスに５秒間置かれた場合に、侵入した深度を、ミリメートルの１０分の１で表わした深度を測定することからなる。
　　本発明において使用可能なワックス類は、動物性ワックス類、鉱物性ワックス類、植物性ワックス類、合成ワックス類、および天然ワックス類の種々の留分物から選択可能であり、該ワックスの全ては、上記２つの物理的特性を有するものである。
　　動物性ワックス類としては、みつろう類、ラノリンろう類、およびシナろう類が挙げられる。
　　植物性ワックス類としては、米ろう類、カルナウバろう、カンデリラろう、およびオーリキュリー（ｏｕｒｉｃｕｒｙ）ろう、コルクファイバーろう類、さとうきびろう類、木ろう類、うるしろう、および綿ろうが挙げられる。
　　無機ワックス類としては、パラフィン類、マイクロクリスタリンろう類、モンタンろう類、およびオゾケライト類が挙げられる。
　　合成ワックス類としては、特にポリエチレンワックス類、フィッシャー・アンド・トロッシュ合成により得られたワックス類、およびワックス性コポリマー類およびそれらのエステル類を使用可能である。
　　上記２つの物理的特性を有する水素化植物性または動物性オイル類もまた、使用可能である。これらのオイル類としては、Ｃ８−Ｃ３２直鎖または非直鎖の脂肪鎖からなる脂肪物質類の触媒による水素化によって得られた水素化オイル類および水素化ホウホウバろう類、水素化ひまわり油、水素化ひまし油、水素化コプラ油および水素化ラノリンが挙げられる。
　　本発明により使用可能なワックス類は、好ましくは固体であり、５０℃以下の温度において堅くなるものである。
　　これらのワックス類は、コロイド状ワックス粒子類の安定分散物形態において存在可能であり、文献：”Ｍｉｃｒｏｅｍｕｌｓｉｏｎｓ　Ｔｈｅｏｒｙ　ａｎｄ　Ｐｒａｃｔｉｃｅ”、Ｌ．Ｍ．Ｐｒｉｎｃｅ　Ｅｄ．，Ａｃａｄｅｍｉｃ　Ｐｒｅｓｓ（１９７７），ｐｐ．２１−３２等の公知の方法によって調製可能である。
　　該ワックス類およびデオキシリボ核酸に加えて、本発明による組成物はまた、無機顔料類、有機顔料類、および真珠光沢顔料類から選択された顔料類を含有可能である。無機顔料類としては、表面処理されていてもよい、色指数（ｔｈｅ　Ｃｏｌｏｕｒ　Ｉｎｄｅｘ）における、ＣＩナンバー７７８９１の二酸化チタン（ルチルまたはアナターゼ）、順にＣＩナンバー７７４９９、ＣＩ７７４９２、およびＣＩ７７４９１の、べんがら、鉄黄、および鉄黒、ＣＩナンバー７７７４２のマンガンバイオレット、ＣＩナンバー７７００７の群青、ＣＩナンバー７７２８８の酸化クロム、ＣＩナンバー７７２８９のクロム水和物、および、ＣＩナンバー７７５１０の第二鉄青が挙げられる。
　　有機顔料類は、カーボンブラック、ＣＩナンバー４５１７０の顔料Ｄ＆ＣレッドＮｏ．１９、ＣＩナンバー１５５８５のＤ＆ＣレッドＮｏ．９、ＣＩナンバー４５３８０のＤ＆ＣレッドＮｏ．２１、ＣＩナンバー１５５１０のＤ＆ＣオレンジＮｏ．４、ＣＩナンバー４５３７０のＤ＆ＣオレンジＮｏ．５、ＣＩナンバー４５４１０のＤ＆ＣレッドＮｏ．２８、ＣＩナンバー１５６３０のＤ＆ＣレッドＮｏ．１３、ＣＩナンバー１５８５０のＤ＆ＣレッドＮｏ．５７、ＣＩナンバー１９１４０のＤ＆ＣイエローＮｏ．２３、ＣＩナンバー１２０８５のＤ＆ＣレッドＮｏ．３６、ＣＩナンバー４５４２５のＤ＆ＣアシッドレッドＮｏ．９５、ＣＩナンバー１５９８５のＤ＆ＣイエローＮｏ．６、ＣＩナンバー７３３６０のＤ＆ＣレッドＮｏ．３０、ＣＩナンバー４５４３０のＤ＆ＣレッドＮｏ．３、およびＣＩナンバー７５４７０のコチニールカーミンベースのレーキが挙げられる。
　　真珠光沢顔料類は、白色真珠光沢顔料類、たとえば、チタンまたはオキシ塩素化ビスマスで被覆されたマイカ、着色真珠光沢顔料類、たとえば酸化鉄類添加チタン−マイカ、特に第二鉄青または酸化クロム添加チタン−マイカ、上記のタイプの有機顔料添加チタン−マイカ、および、オキシ塩素化ビスマスをベースとした真珠光沢顔料類が挙げられる。
　　本発明による組成物は、エマルションの形態で存在可能であるため、アニオンまたは非イオン界面活性剤類から選択された界面活性剤類も含有する。単独でまたは混合物として使用可能な、アニオン界面活性剤類としては、特に、以下に示す化合物類の、アルカリ金属塩類、アンモニウム塩類、アミン塩類、またはアミノアルコール塩類が挙げられる。該化合物類とは、
　−アルキル＝スルファート類、アルキル＝エーテル＝スルファート類、アルキルアミド＝スルファート類およびエーテル＝スルファート類、アルキルアリール＝ポリエーテル＝スルファート類およびモノグリセリド＝スルファート類、
　−アルキルスルホナート類、アルキルアミドスルホナート類、アルキルアリールスルホナート類、オレフィンスルホナート類およびパラフィンスルホナート類、
　　−アルキルスルホスクシナート類、アルキル＝エーテル＝スルホスクシナート類およびアルキルアミドスルホスクシナート類、
　　−アルキルスルホスクシナマート類、
　　−アルキルスルホアセタート類およびアルキルポリグリセロールカルボキシラート類、
　　−アルキル＝ホスファート類／アルキル＝エーテル＝ホスファート類、
　　−アルキルサルコシナート類、アルキルポリペプチダート類、アルキルアミドポリペプチダート類、アルキルイセチオナート類およびアルキルタウラート類である。
　　上記全ての化合物におけるアルキル基は、一般的には、１２から１８の炭素数を有する炭素鎖を示す。
　　アニオン界面活性剤類としては、脂肪酸類、たとえばオレイン酸、リシノレイン酸、パルミチン酸、ステアリン酸、コプラ油のまたは水素化コプラ油の酸類の、塩類、およびアミン＝ステアラート類等のアミン塩類を使用可能である。
　　アシル基が８から２０の炭素原子を有するアシル＝ラクタート類、およびポリグリコール＝エーテル類のカルボン酸類が挙げられ、ポリグリコール＝エーテル類のカルボン酸類は、酸または塩の形態の、式：
　　ＡｌＫ−（ＯＣＨ２−ＣＨ２）ｎ−ＯＣＨ２−ＣＯＯＨ
　　（式中、置換基Ａｌｋは、１２から１８の炭素数を有する直鎖の炭素鎖であり、ｎは、５および１５の間の任意な整数値を示す）
　で表わされるものである。
　　単独でまたは混合物として使用可能な非イオン界面活性剤類としては、特に、ポリエトキシル化、ポリプロポキシル化、またはポリグリセロール化アルコール類、アルキルフェノール類、および脂肪酸類が挙げられ、脂肪酸の脂肪鎖は、８から１８の炭素原子を含有するものである。
　　酸化エチレンおよび酸化プロピレンのコポリマー類、酸化エチレンおよび酸化プロピレンと脂肪アルコール類との縮合生成物類、ポリエトキシル化脂肪アミド類、ポリエトキシル化脂肪アミン類、エタノール＝アミド類、グリコール＝：脂肪酸エステル類、エトキシル化または非エトキシル化ソルビタン＝脂肪酸エステル類、スクロース＝脂肪酸エステル類、ポリエチレン＝グリコール＝脂肪酸エステル類、りん酸トリエステル類、およびグルコース誘導体の脂肪酸エステル類も挙げられる。該クラスにおいて含有可能な他の化合物類は、以下のものが挙げられる：
　　−モノアルコール、α−ジオール、アルキルフェノール、アミドまたはジグリコールアミドと、グリシドールまたはグリシドール前駆体との縮合生成物類、たとえば、仏国特許ＦＲ２０９１５１６に記載された、式：
　　（式中、Ｒ４は、７と２１の間の炭素数を好ましくは有する、脂肪族、環脂肪族またはアリール脂肪族基、およびこれらの混合物を示し、脂肪族鎖は、エーテル、チオエーテルまたはヒドロキシメチレン基を含有可能であり、ｐは、１から１０の任意な整数を示す）
　で表わされる化合物；
　　−仏国特許ＦＲ１４７７０４８に記載された、式：
　　（式中、Ｒ５は、アルキル、アルケニルまたはアルキルアリール基を示し、ｑは、１から１０の任意な整数を示す）
　で表わされる化合物；
　　−仏国特許ＦＲ２３２８７６３に記載された、合成または天然由来の、式：
　　（式中、Ｒ６は、直鎖のまたは分岐した、飽和または不飽和の脂肪族基、またはこれらの混合物であり、所望ならば１以上の水酸基を含有し、８と３０の間の炭素原子を有し、ｒは、平均縮合度を示し、１と５の間の任意な整数を示す）
　で表わされる化合物である。
　　非イオンエマルション形態の本発明による組成物は、オイル類および／または脂肪アルコールの混合物、または、ポリエトキシル化またはポリグリセロール化アルコール類、たとえば、ポリエトキシル化セチルステアリルアルコール類またはステアリルアルコール類を主成分とするものである。
　　アニオンエマルションの形態の本発明による組成物は、好ましくはアミン＝ステアラート類に基づくものである。
　　本発明による組成物はまた、化粧品において使用される成分も含有可能であり、ビタミン類、微量元素類、緩和剤類、防腐剤類、金属イオン封止剤類、香料類、増粘剤類、オイル類、シリコーン類、凝集剤類、化粧品分野において通常使用されているポリマー類および塩基性化または酸性化剤類、および充填剤類から選択されるものである。
　　充填剤類としては、特に、以下のものが使用可能である：
　　−４０ミクロンよりも一般的には小さい粒子の形態で使用された、水和化したケイ酸マグネシウムである、タルク、
　　−２から２００ミクロン、好ましくは５から７０ミクロンの長さで、０．１と５ミクロンとの間、好ましくは０．２から３ミクロンの厚さを有するフレーク形態の、種々の組成のアルミノシリカート類であり、天然由来のマイカ類、たとえば、白雲母、マルガライト、ロスケライト、リピドライトおよび黒雲母、または、合成由来のマイカ類、
　　−澱粉、特に米澱粉、
　　−３０ミクロンよりも一般的には短い寸法を有する、等方性形の粒子形態で存在する水和化したケイ酸アルミニウムである、カオリン、
　　−数ミクロンを越えない粒子径の粒子形態で一般的には使用される、酸化チタン類および酸化亜鉛類、
　　−炭酸カルシウム、炭酸マグネシウムまたは炭酸水素マグネシウム、
　　−マイクロクリスタリン（微結晶形）セルロース、および、
　　−合成ポリマー類、たとえばポリエチレン、ポリエステル類（ポリエチレン＝イソフタラートまたはテレフタラート）、ポリアミド類たとえば商品名”ナイロン”または”テフロン”として販売されているものの粉末およびシリコーン粉末。
　　本発明による組成物において含有されている増粘剤類は、天然または合成増粘剤類から選択可能である。天然増粘剤類としては、種々のゴム類、たとえばアラビアゴム、グアゴム、またはカロブゴムが挙げられる。
　　合成増粘剤類としては、セルロース誘導体、たとえばヒドロキシエチルセルロース、カルボキシメチルセルロース、澱粉誘導体、第４級アンモニウム基含有のセルロース＝エーテル誘導体、カチオン多糖類、アクリルまたはメタクリルポリマー類の塩類、ポリエン類またはポリシロキサン類が挙げられる。
　　ポリエチレングリコールおよびポリエチレングリコール＝ジステアラートおよび／またはステアラートの混合物により、または、リン酸エステル類および脂肪アミド類によって、本発明による組成物に増粘性を付与することも可能である。
　　以下、本発明を例解する具体的な実施例をあげて説明するが、本発明はこれらの実施例に限定されるものではない。
　　　
実施例１および２の方法
　　相Ａの成分を約８５℃の温度に昇温し、相Ｂの成分を添加して、該混合物をタービンを用いて撹拌する。調製用水を沸騰させ、防腐剤類をこれに溶解する。約８５℃の温度で、相Ｃの成分を、該水相に添加する。８０℃の温度の相Ａの成分を、該水相に添加し、乳化させるために、約３０℃の温度でタービンを用いて混合する。相Ｄの成分は、適当ならば、添加して、ブレードミキサーを用いて混合する。
　　　
実施例３の方法
　　相Ａの成分を溶解し、顔料類をこれに添加して、組成物を混合する。相Ｂの成分を混合し、相Ａの成分に添加する。デオキシリボ核酸を次いで該混合物に添加する。
　　　　　　　　　　　　　　　　　実施例
　　　
実施例１：水中油形エマルション
　相Ａ−
　　トリエタノールアミン＝ステアラート　　　　　　　　　　　８％
　　グリセロール＝ステアラート（ガッテフォッセ（ＧＡＴＴＥＦＯＳＳＥ）社から”ゲレオール（ＧＥＬＥＯＬ）”の商品名で販売されている）　　　　　　　　　　　　　　　　２％
　　蜜ろう　　　　　　　　　　　　　　　　　　　　　　　　　７％
　　カルナウバろう　　　　　　　　　　　　　　　　　　　　　２％
　　パラフィン　　　　　　　　　　　　　　　　　　　　　　　３．５％
　相Ｂ−
　　鉄黒　　　　　　　　　　　　　　　　　　　　　　　　　　６％
　相Ｃ−
　　ヒドロキシエチルセルロース（アメルコール（ＡＭＥＲＣＨＯＬ）社から”セロサイズ（ＣＥＬＬＯＳＩＺＥ）ＱＰ”の商品名で販売されている）　　　　　　　　　　　　　　０．５％
　　アラビアゴム　　　　　　　　　　　　　　　　　　　　　　２％
　　ケラチンの加水分解物（クロダ（ＣＲＯＤＡ）社から”ケラソール（ＫＥＲＡＳＯＬ）”の商品名で販売されている）　　　　　　　　　　　　　　　　　　　　　　　　　　　　１．８％
　　デオキシリボ核酸（魚から抽出）（ジャベネッチ（ＪＡＶＥＮＥＣＨ）社から販売されている）　　　　　　　　　　　　　　　　　　　　　　　　　　　　　　　　　　　　　　０．０５％
　相Ｄ−
　　パンテノール　　　　　　　　　　　　　　　　　　　　　　１．０％
　　防腐剤　　　　　　　　　　　　　　　　　　　　　　　　適量
　　水　　　　　　　　　　　　　　　　全体として１００％とするための適量
　　　
比較例１’：水中油形エマルション
　相Ａ−
　　トリエタノールアミン＝ステアラート　　　　　　　　　　　８％
　　グリセロール＝ステアラート（ガッテフォッセ（ＧＡＴＴＥＦＯＳＳＥ）社から”ゲレオール（ＧＥＬＥＯＬ）”の商品名で販売されている）　　　２％
　　蜜ろう　　　　　　　　　　　　　　　　　　　　　　　　　７％
　　カルナウバろう　　　　　　　　　　　　　　　　　　　　　２％
　　パラフィン　　　　　　　　　　　　　　　　　　　　　　　３．５％
　相Ｂ−
　　鉄黒　　　　　　　　　　　　　　　　　　　　　　　　　　６％
　相Ｃ−
　　ヒドロキシエチルセルロース（アメルコール（ＡＭＥＲＣＨＯＬ）社から”セロサイズ（ＣＥＬＬＯＳＩＺＥ）ＱＰ”の商品名で販売されている）　　　　　　　　　　　　　　　　　　　　　　　　　　　　　　　　　　０．５％
　　アラビアゴム　　　　　　　　　　　　　　　　　　　　　　２％
　　ケラチンの加水分解物（クロダ（ＣＲＯＤＡ）社から”ケラソール（ＫＥＲＡＳＯＬ）”の商品名で販売されている）　　　　　　　　　　　１．８％
　相Ｄ−　　
　　パンテノール　　　　　　　　　　　　　　　　　　　　　　１．０％
　　防腐剤　　　　　　　　　　　　　　　　　　　　　　　　適量
　　水　　　　　　　　　　　　　　　　全体として１００％とするための適量
　　実施例１と対照的に、本例は、デオキシリボ核酸を含有しない。ブラインド比較テストは、１９人の女性からなるパネルが、実施例１と比較例１’とを比較することによって行われた。ステューデント（ＳＴＵＤＥＮＴ）テストによれば、デオキシリボ核酸を含有する実施例１は、まつげに適用後、まつげを良好に分離し、良好に延ばすことが可能であることが示された。
　　　
実施例２：水中油形エマルション
　相Ａ−
　　トリエタノールアミン＝ステアラート　　　　　　　　　　１０％
　　蜜ろう　　　　　　　　　　　　　　　　　　　　　　　　　８％
　　カルナウバろう　　　　　　　　　　　　　　　　　　　　　２％
　　パラフィン　　　　　　　　　　　　　　　　　　　　　　　５％
　相Ｂ−
　　鉄黒　　　　　　　　　　　　　　　　　　　　　　　　　　５％
　相Ｃ−
　　ヒドロキシエチルセルロース（アメルコール（ＡＭＥＲＣＨＯＬ）社から”セロサイズ（ＣＥＬＬＯＳＩＺＥ）ＱＰ”の商品名で販売されている）　　　　　　　　　　　　　　　　　　　　　　　　　　　　　　　　　　１．２％
　　デオキシリボ核酸（小麦胚芽から抽出）（イノコズム（ＩＮＯＣＯＳＭ）社から販売されている）　　　　　　　　　　　　　　　　　　　　２％
　　防腐剤　　　　　　　　　　　　　　　　　　　　　　　　適量
　水　　　　　　　　　　　　　　　　　全体として１００％とするための適量
　　　
実施例３：分散物
　相Ａ−
　　パラフィンろう　　　　　　　　　　　　　　　　　　　　　４％
　　蜜ろう　　　　　　　　　　　　　　　　　　　　　　　　　５％
　　カルナウバろう　　　　　　　　　　　　　　　　　　　　　３％
　　カンデリラろう　　　　　　　　　　　　　　　　　　　　　５％
　　鉄黒　　　　　　　　　　　　　　　　　　　　　　　　　　５％
　相Ｂ−
　　モントモリロナイト　　　　　　　　　　　　　　　　　　　５％
　　プロピレン＝カーボナート　　　　　　　　　　　　　　　　１％
　　イソパラフィン　　　　　　　　　　　　　　　　　　　　５５．３％
　相Ｃ−
　　活性物質が３％の濃度である水中におけるデオキシリボ核酸（魚タンパク質）（セデルマ（ＳＥＤＥＲＭＡ〉社から販売されている）　　１６．７％
（５７）【特許請求の範囲】
　　　１．　デオキシリボ核酸、または、その無機塩または有機塩の１つと、少なくとも１つのワックスとを含有することを特徴とする、まつげおよび／または眉毛に適用するメークアップ組成物。
　　　２．　デオキシリボ核酸の量のワックスの量に対する重量比が、０．０２５と２．５の間であることを特徴とする、請求項１に記載の組成物。
　　　３．　前記デオキシリボ核酸の分子量が、１Ｘ１０５と１Ｘ１０７の間であることを特徴とする、請求項１または２に記載の組成物。
　　　４．　請求項１ないし３のいずれか１項に記載の組成物を、まつげおよび／または眉毛に適用することを特徴とする、アイメークアップ方法。